(57)【要約】【課題】  護身用具が使用される場合に、予め記憶手段に登録された認証用の指紋情報に基づく照合処理を受け、その使用者が正規の使用権限を有する者と認められない場合には、使用できないようにして、子供や第三者の使用を防止できるようにした認証機能付き護身用具を提供する。【解決手段】  護身用具の使用を特定の者に限定して行えるようにした認証機能付き護身用具であって、使用者の指紋情報を読み取る指紋情報読取手段と、前記護身用具の使用を行うことを認証する者の指紋情報を予め記憶させた記憶手段と、前記護身用具の使用ができない状態にスイッチをロックする手段と、前記指紋情報読取手段で読み取られた指紋情報と、前記記憶手段に記憶されている指紋情報との照合を行う指紋情報照合手段と、前記指紋情報照合手段による照合が一致した場合に、ロック状態のスイッチをロック解除の状態とする手段と、を備えている。【選択図】        図２
2005207610.tif 000002
【特許請求の範囲】
【請求項１】
護身用具の使用を特定の者に限定して行えるようにした認証機能付き護身用具であって、
使用者の指紋情報を読み取る指紋情報読取手段と、前記護身用具の使用を行うことを認証する者の指紋情報を予め記憶させた記憶手段と、前記護身用具の使用ができない状態にスイッチをロックする手段と、前記指紋情報読取手段で読み取られた指紋情報と、前記記憶手段に記憶されている指紋情報との照合を行う指紋情報照合手段と、前記指紋情報照合手段による照合が一致した場合に、ロック状態のスイッチをロック解除の状態とする手段と、を備えていることを特徴とする。
【請求項２】
前記記憶手段と前記指紋情報照合手段とがＩＣカードに設けられ、前記ＩＣカードが前記護身用具に着脱自在に備えられていることを特徴とする請求項１記載の認証機能付き護身用具。
【発明の詳細な説明】
【技術分野】
【０００１】
本発明は、例えば、ナイフ、催眠スプレー、スタンガン、拳銃、などの護身用具が、子供や第三者によって勝手に使用されないように使用防止策を施した認証機能付き護身用具に関する。
【背景技術】
【０００２】
従来、ナイフ、催眠スプレー、スタンガン、拳銃、などの護身用具は種々あるが、これらの護身用具を子供が勝手に使用した場合には、火傷を負ったり、火事になったりする危険性がある。（例えば、特許文献１乃至３、参照）
また、これらの護身用具が暴漢に奪われた場合には、逆に護身用具が凶器となり危険である。
護身用具の中には、子供などが勝手に使用しなうようにロックをかけられるようにしてあるものもある。
【特許文献１】特表平６−１３７７８８
【特許文献２】特開２００２−５５９７
【特許文献３】特開２００２−５２１６４５
【０００３】
しかしながら、これらのロック手段では、ロック解除の方法さえわかれば、誰でも使用することができるのが現状であり、子供や第三者による使用を完全に防止することができないという問題がある。
また、護身用具毎に使用権限を有する正規の使用者を予め特定して、正規の使用者以外の第三者や子供などが勝手に使用できないようにしたくても、使用者毎に使用認証の確認処理を行う仕組みを備えていないので、護身用具の安全な取り扱いができないという問題がある。
【発明の開示】
【発明が解決しようとする課題】
【０００４】
本発明は、護身用具が使用される場合に、予め記憶手段に登録された認証用の指紋情報に基づく照合処理を受け、その使用者が正規の使用権限を有する者と認められない場合には、使用できないようにして、子供や第三者の使用を防止できるようにした認証機能付き護身用具を提供する。
【課題を解決するための手段】
【０００５】
本発明の認証機能付き護身用具は、護身用具の使用を特定の者に限定して行えるようにした認証機能付き護身用具であって、使用者の指紋情報を読み取る指紋情報読取手段と、前記護身用具の使用を行うことを認証する者の指紋情報を予め記憶させた記憶手段と、前記護身用具の使用ができない状態にスイッチをロックする手段と、前記指紋情報読取手段で読み取られた指紋情報と、前記記憶手段に記憶されている指紋情報との照合を行う指紋情報照合手段と、前記指紋情報照合手段による照合が一致した場合に、ロック状態のスイッチをロック解除の状態とする手段と、を備えていることを特徴とする。
【０００６】
また、本発明の認証機能付き護身用具は、前記記憶媒体がＩＣカードであり、前記記憶手段と前記指紋情報照合手段とが前記ＩＣカードに設けられ、前記ＩＣカードが前記護身用具に着脱自在に備えられていることを特徴とする。
【発明の効果】
【０００７】
本発明の認証機能付き護身用具は、予め記憶手段に登録された認証用の指紋情報との照合処理で一致しない場合には、護身用具のロック状態を解除することができないので、正規に使用権限を有する者以外の者は、使用することができず、子供や第三者の不正な使用を防止することができるという効果がある。
【０００８】
また、本発明の認証機能付き護身用具は、護身用具に着脱自在に備えられたＩＣカードに認証用の指紋情報が記憶され、認証処理を行うので、護身用具に装着するＩＣカードを代えることで、複数の人が１つの護身用具を共通して使用することができるという効果がある。
【発明を実施するための最良の形態】
【０００９】
以下、図面を参照しながら本発明の実施形態を詳述する。
図１は、本発明の第１実施形態に係る認証機能付き護身用具の斜視図、図２は、本発明の第１実施形態に係る認証機能付き護身用具のシステムブロック図、図３は、本発明の第２実施形態に係る認証機能付き護身用具の斜視図、図４は、本発明の第２実施形態に係る認証機能付き護身用具のシステムブロック図、図５は、本発明の第３実施形態に係る認証機能付き護身用具の斜視図、図６は、本発明の第３実施形態に係る認証機能付き護身用具のシステムブロック図、図７、本発明の第４施形態に係る認証機能付き護身用具の斜視図、図８、本発明の第４実施形態に係る認証機能付き護身用具のシステムブロック図、図９は、本発明の第１実施形態に係る認証機能付き護身用具の処理手順を示すフローチャートである。
【００１０】
本発明の第１実施形態に係る認証機能付き護身用具であるスタンガン１は、図１及び図２に示すように、電源スイッチ２と、親指３などの指紋を押し当て、スタンガン１を使用する者の指紋情報を読み取る機能を有する指紋読取手段４とを有している。
更に、スタンガン１には、電源スイッチ２をＯＦＦからＯＮの状態に指で移動させた際に、高圧パルスを発生させる高圧パルス発生手段５と、電源スイッチ２をＯＦＦからＯＮの状態に移動できない状態にロックするスイッチロック手段６と、スイッチロック手段６によりロックされている電源スイッチ２を、ロック解除の状態にするスイッチロック解除手段７と、このスタンガン１の使用を行うことを認証する者の指紋情報を予め記憶させた記憶手段８と、指紋情報読取手段４で読み取られた指紋情報と、記憶手段８に記憶されている指紋情報との照合を行う指紋情報照合手段９と、制御手段１０となどを有している。
【００１１】
尚、指紋読取手段４は、図１に示すように指紋読取センサーなどをスタンガン１の握り部分に設けることで、簡単に使用者の指紋を読み取れるように構成されているが、特にこれに限定されるものではなくどの部分に設けても良い。
また、スタンガン１には、ＩＣが内臓され、記憶手段８と指紋情報照合手段９とは、このＩＣのメモリとＣＰＵとにより記憶され、処理が行われる。
【００１２】
記憶手段８には、他に制御用プログラムが搭載されている。
尚、スイッチロック手段６及びスイッチロック解除手段７は、高圧パルスの発生が行えない状態から、高圧パルスを発生可能な状態に切り替えるられる機能を有していればよいもので、これらは物理的な機構により構成したり、または電気的な制御などにより行うようにしてもよく、いずれの仕様を選択することができる。
【００１３】
スイッチロック解除手段７は、指紋情報照合手段９による指紋情報との照合処理の結果において、照合一致した場合にスイッチロック手段６によるロック状態を解除させて、高圧パルスの発生を行える状態にする機能を有している。
つまり、スタンガン１の利用者は、自らの指紋を読み取らせて、予め記憶されている照合用の指紋情報との照合処理で一致したことを条件に、スタンガン１に高圧パルスを発生させて使用できるようにしてあり、予め記憶手段に登録された指紋情報を一致する指紋を有する人以外はスタンガン１を使用することができないようにしてある。
【００１４】
次に、本発明の第２実施形態に係る認証機能付き護身用具である催眠スプレー２０を図３及び図４に基づいて説明する。
この催眠スプレー２０は、催眠ガスを放射する際に指に引くための引き金２１と、催眠スプレー２０を使用する者の指紋情報を読み取る機能を有する指紋読取手段２２とを有している。
更に、催眠スプレー２０には、催眠ガスを放射する放射手段２３と、催眠ガスが放射されないように引き金２１をロック状態にする引き金ロック手段２４と、引き金ロック手段２４でロックされている状態を解除して引き金を引ける状態にするロック解除手段２５と、この催眠スプレー２０の使用を行うことを認証する者の指紋情報を予め記憶させた記憶手段２６と、指紋情報読取手段２２で読み取られた指紋情報と、記憶手段２６に記憶されている指紋情報との照合を行う指紋情報照合手段２７と、制御手段２８となどを有している。
【００１５】
指紋読取手段２２は、図３に示すように指紋読取センサーなどを催眠スプレー２０の握り部分に設けることで、簡単に使用者の指紋を読み取れるように構成されているが、特にこれに限定されるものではなくどの部分に設けても良い。
また、催眠スプレー２０には、ＩＣが内臓され、記憶手段２６と指紋情報照合手段２２とは、このＩＣのメモリとＣＰＵとにより記憶され、処理が行われる。
【００１６】
記憶手段８には、他に制御用プログラムが搭載されている。
尚、引き金ロック手段２４及びロック解除手段２５は、催眠ガスの放射が行えない状態から、放射可能な状態に切り替えるられる機能を有していればよいもので、これらは物理的な機構により構成したり、または電気的な制御などにより行うようにしてもよく、いずれの仕様を選択することができる。
【００１７】
ロック解除手段２５は、指紋情報照合手段２７による指紋情報との照合処理の結果において、照合一致した場合に引き金ロック手段２４によるロック状態を解除させて、催眠ガスの放射を行える状態にする機能を有している。
つまり、催眠スプレー２０の利用者は、自らの指紋を読み取らせて、予め記憶されている照合用の指紋情報との照合処理で一致したことを条件に、催眠スプレー２０から催眠ガスを放射させて使用できるようにしてあり、予め記憶手段２６に登録された指紋情報を一致する指紋を有する人以外は催眠スプレー２０を使用することができないようにしてある。
【００１８】
次に、本発明の第３実施形態に係る認証機能付き護身用具である拳銃３０を図５及び図６に基づいて説明する。
図５に示すように、拳銃３０には、記憶媒体であるＩＣカード３１を挿入して着脱自在に装着するためのＩＣカード挿入部３２が設けられている。
拳銃３０には、更に、指紋読取手段３３、引き金３４を指で引けない状態にロックする引き金ロック手段３５、ロック解除手段３６、ＩＣカード３１とのＩ/Ｆ（インターフェース）３７、制御手段３８、などを有している。
【００１９】
また、ＩＣカード３１は、この拳銃３０の使用を行うことを認証する者の指紋情報を予め記憶させた記憶手段３９と、指紋情報照合手段４０と、制御手段４１と、Ｉ/Ｆ（インターフェース）４２となどを有している。
記憶手段１９には、他に制御用プログラムが搭載されている。
指紋情報照合手段４０は、Ｉ/Ｆ３７及びＩ/Ｆ４２を介して拳銃３０からＩＣカード３１に送られた指紋情報と、ＩＣカード３１の記憶手段３９に記憶されている指紋情報との照合を行う機能を有している。
ＩＣカード１９は、拳銃３０に対して着脱自在に装着されているので、ＩＣカード３１を入れ替えることで１つのライターを複数の人が共通して使用することができる。
【００２０】
ロック解除手段３６は、指紋情報照合手段４０による指紋情報との照合処理の結果において、一致した場合に引き金ロック手段３５のロック状態を解除させて、引き金３４を引いて弾を撃てる状態にする機能を有している。
【００２１】
次に、本発明の第４実施形態に係る認証機能付き護身用具であるナイフセット５０を図７及び図８に基づいて説明する。
ナイフセット５０は、図７に示すように刃と柄を有するナイフ５０ａと、ナイフ５０ａの刃の部分を差し込んで保護する保護サック５０ｂとからなり、保護サック５０ｂには、保護サック５０ｂに差し込まれた状態のナイフ５０ａが、保護サック５０ｂから抜き出されないように留めるためのナイフ留め部５１が設けられている。
【００２２】
また、保護サック５０ｂには、図８に示すように、ナイフ留め部５１を外すことができないようにロック状態とするナイフ留め部ロック手段５２と、ナイフセット５０を使用する者の指紋情報を読み取る機能を有する指紋読取手段５３、ナイフ留め部ロック手段５２でロックされている状態を解除するロック解除手段５４と、このナイフセット５０の使用を行うことを認証する者の指紋情報を予め記憶させた記憶手段５５と、指紋情報読取手段５３で読み取られた指紋情報と、記憶手段５５に記憶されている指紋情報との照合を行う指紋情報照合手段５６と、制御手段５７となどを有している。
【００２３】
また、保護サック５０ｂには、ＩＣが内臓され、記憶手段５５と指紋情報照合手段５６とは、このＩＣのメモリとＣＰＵとにより記憶され、処理が行われる。
記憶手段５５には、他に制御用プログラムが搭載されている。
尚、ナイフ留め部ロック手段５２及びロック解除手段５４は、ナイフ５０ａが保護サック５０ｂから抜き取れない状態から、抜き取れる状態に切り替えられる機能を有していればよいもので、これらは物理的な機構により構成したり、または電気的な制御などにより行うようにしてもよく、いずれの仕様を選択することができる。
【００２４】
ロック解除手段５４は、指紋情報照合手段５６による指紋情報との照合処理の結果において、照合一致した場合にナイフ留め部ロック手段５２によるロック状態を解除させて、ナイフ５０ａが保護サック５０ｂから抜き取れる状態にする機能を有している。
つまり、ナイフセット５０の利用者は、自らの指紋を読み取らせて、予め記憶されている照合用の指紋情報との照合処理で一致したことを条件に、保護サック５０ｂのナイフ留め部５１を外してナイフ５０ａを取出せるようにしてあり、予め記憶手段５５に登録された指紋情報を一致する指紋を有する人以外はナイフ５０ａを使用することができないようにしてある。
【００２５】
次に、本発明の第１実施形態に係る認証機能付き護身用具であるスタンガン１の処理手順を図９のフローチャートに基づいて説明する。
まず、スタンガン１の記憶手段８には、そのスタンガン１を使用することができる正規の使用者の指紋情報を記憶させて登録しておく。
また、スタンガン１は、スイッチロック手段６により高圧パルスが発生できない状態にロックされている。
【００２６】
スタンガン１の使用者は、親指３などの定められた指を指紋センサーなどの指紋読取手段４に押し当てて、指紋情報を読み取らせる。（ステップＳ１）
指紋読取手段４で読み取られた指紋情報は、指紋情報照合手段９により、記憶手段８に予め記憶されている照合用の指紋情報と照合処理される。（ステップＳ２）
この照合処理の結果、照合一致した場合には、スイッチロック解除手段７によりスイッチロック手段６のロックが解除される。（ステップＳ３）
これにより、使用者はスタンガン１により高圧パルスを発生できる状態となり、スイッチ２をＯＮすることで高圧パルスを発生させて使用することができる。（ステップＳ４）
【００２７】
また、照合処理の結果、照合不一致となった場合には、スイッチロック解除手段７によりスイッチロック手段６のロックが解除されないままの状態で、使用者はスタンガン１を使用することができない。
以上のように、本発明の認証機能付き護身用具は、護身用具を使用することができる使用者を、指紋照合処理により照合一致する者に制限できるので、特定の使用者以外の者が使用したとしても使用できないようにしてある。
【図面の簡単な説明】
【００２８】
【図１】本発明の第１実施形態に係る認証機能付き護身用具の斜視図である。
【図２】本発明の第１実施形態に係る認証機能付き護身用具のシステムブロック図である。
【図３】本発明の第２実施形態に係る認証機能付き護身用具の斜視図である。
【図４】本発明の第２実施形態に係る認証機能付き護身用具のシステムブロック図である。
【図５】本発明の第３実施形態に係る認証機能付き護身用具の斜視図である。
【図６】本発明の第３実施形態に係る認証機能付き護身用具のシステムブロック図である。
【図７】本発明の第４施形態に係る認証機能付き護身用具の斜視図である。
【図８】本発明の第４実施形態に係る認証機能付き護身用具のシステムブロック図である。
【図９】本発明の第１実施形態に係る認証機能付き護身用具の処理手順を示すフローチャートである。
【符号の説明】
【００２９】
１  スタンガン
２  電源スイッチ
３  親指
４，２２，３３，５３  指紋読取手段
５  高圧パルス発生手段
６  スイッチロック手段
７  スイッチロック解除手段
８，２６，３９，５５  記憶手段
９，２７，４０，５６  指紋情報照合手段
１０，２８，３８，５７  制御手段
２０  催眠スプレー
２１  引き金
２３  放射手段
２４，３５  引き金ロック手段
２５，３６，５４  ロック解除手段
３０  拳銃
３１  ＩＣカード
３５  引き金ロック手段
３７  Ｉ/Ｆ（インターフェース）
５０  ナイフセット
５０ａ  ナイフ
５０ｂ  保護サック
５１  ナイフ留め部
５２  ナイフ留め部ロック手段
【図１】
2005207610.tif 000003
【図２】
2005207610.tif 000004
【図３】
2005207610.tif 000005
【図４】
2005207610.tif 000006
【図５】
2005207610.tif 000007
【図６】
2005207610.tif 000008
【図７】
2005207610.tif 000009
【図８】
2005207610.tif 000010
【図９】
2005207610.tif 000011